(57)【要約】【課題】フロント照明方式液晶表示装置を提供する。【解決手段】複数の側面１１８、複数の側面に取り囲まれた第１面１１８ｅ及び第１面と対向する第２面１１８ｆを含む立体からなる導光胴体と、複数の側面のうちの一つである光入射面に入射された光の方向が第１面に反射され第２面に向かうと同時に複数の側面により取り囲まれた内部に向かう方向へ前記光の進行方向が転換されるように、ライン形態で第１面に少なくとも一ヶ所以上が折り曲げられた折り曲げ部が形成された光反射パターン１２０ｃとを含む導光板１２０、折り曲げ部の凹部部分と対向する光入射面に形成され、光入射面を通じて導光板の第１面に光を供給するランプ１１２を含むランプアセンブリ１１５、及び第２面と対向し、光の透過度を制御し画像をディスプレーする液晶表示パネル１３０を含む。【選択図】図１７
2007087964.tif 000002
【特許請求の範囲】
【請求項１】
複数の側面、前記複数の側面に取り囲まれた第１面及び前記第１面と対向する第２面を含む立体からなる導光胴体と、前記複数の側面のうちの一つである光入射面に入射された光の方向が前記第１面に反射され第２面に向かうと同時に前記複数の側面により取り囲まれた内部に向かう方向へ前記光の進行方向が転換されるように、ライン形態で前記第１面に少なくとも一ヶ所以上が折り曲げられた折り曲げ部が形成された光反射パターンとを含む導光板、
前記折り曲げ部の凹部部分と対向する前記光入射面に形成され、前記光入射面を通じて前記導光板の前記第１面に光を供給するランプを含むランプアセンブリ、及び
前記第２面と対向し、前記光の透過度を制御し画像をディスプレーする液晶表示パネルを含むことを特徴とする液晶表示装置。
【請求項２】
前記折り曲げ部の前記凹部部分の角は鈍角であることを特徴とする請求項１に記載の液晶表示装置。
【請求項３】
前記光入射面と前記第１面とからなる境界線を基準にし、前記光反射パターンは２２．５°傾斜されていることを特徴とする請求項１に記載の液晶表示装置。
【発明の詳細な説明】
【技術分野】
【０００１】
本発明は液晶表示装置に関するものであり、より詳細には、暗い所でも液晶を利用しディスプレーを実施することができるようにし、この過程で発生するモアレ現象を抑制すると同時に、モアレ現象を抑制するための構造により発生する輝度不均一まで共に克服し、高品質ディスプレーが可能であるようにする液晶表示装置に関するものである。
【背景技術】
【０００２】
一般に、液晶表示装置（Ｌｉｑｕｉｄ  Ｃｒｙｓｔａｌ  Ｄｉｓｐｌａｙ  Ｄｅｖｉｃｅ；ＬＣＤ）は液晶（Ｌｉｑｕｉｄ  Ｃｒｙｓｔａｌ；ＬＣ）の電気−光学的特性を利用し液晶の光透過度を精密に制御し、情報処理装置で処理された情報を使用者が認識することができるようにする表示装置（ｄｉｓｐｌａｙ  ｄｅｖｉｃｅ）の一つに定義される。
【０００３】
このような液晶表示装置は、更に反射型液晶表示装置と透過型液晶表示装置に大きく区分される。これらのうち、反射型液晶表示装置は中、小型表示装置に主に使用され、透過型液晶表示装置は中、大型表示装置に主に使用される。
【０００４】
ここで、反射型液晶表示装置はディスプレーに必要である光の供給を反射型液晶表示装置外部から受け、情報をディスプレーするので、構造が相当に単純であり、液晶を制御するための電力のみを必要とするので、消費電力が相当に低い。
【０００５】
このような反射型液晶表示装置は、ディスプレーに必要である光を外部の環境に依存するために、光量が足りない場合、又は暗い夜には情報を正確にディスプレーできない致命的な問題点を有する。
【０００６】
このような問題点は、透過型液晶表示装置により克服可能である。透過型液晶表示装置は、透過型液晶表示装置内部に供給された電気エネルギーを消耗し光を発生させ、ディスプレーに必要である光を生産することにより、外部環境に依存せず、どんな所でも自由に情報をディスプレーすることができる。
【０００７】
しかし、このような透過型液晶表示装置は液晶を制御するに必要である電力以外に、付加的にディスプレーに必要である光を生産しなければならないので、反射型液晶表示装置に比べて消費電力量が相当に大きな短所を有する。
【０００８】
最近、このように反射型液晶表示装置の問題点及び透過型液晶表示装置が有する問題点は克服し、反射型液晶表示装置の長所及び透過型液晶表示装置の長所を生かした所為“フロント照明方式液晶表示装置”が開発された。
【０００９】
このフロント照明方式液晶表示装置は、外部光が豊富な環境では外部光を利用しディスプレーを実施する。一方、このようなフロント照明方式液晶表示装置は、外部光量が足りない環境では電気エネルギーを消耗し、生成した人工光を利用しディスプレーを実施する。この結果、フロント照明方式液晶表示装置は、最小の消費電力でどんな所でもディスプレーを実施することができる長所を有する。
【００１０】
図１は従来のフロント照明方式液晶表示装置（以下、液晶表示装置と称する）が図示されている。
【００１１】
添付された図面を参照すると、従来の液晶表示装置１０は、光源２、導光板４、液晶表示パネルアセンブリ６により主に構成される。
【００１２】
液晶表示パネルアセンブリ６は図示しないが、ＴＦＴ基板、液晶、カラーフィルタ基板により構成された液晶表示パネルと駆動モジュールとにより構成される。
【００１３】
具体的に、カラーフィルタ基板には、全面にわたって同じ大きさの電圧を印加する共通電極とＲＧＢ色画素とが形成される。ＴＦＴ基板には非常に微細な面積を有するように複数個の画素電極が形成され、各画素電極に相異する大きさの電力が印加されるようにする信号線及び薄膜トランジスターが具備される。液晶はこのようなカラーフィルタ基板とＴＦＴ基板との間に注入される。
【００１４】
一方、駆動モジュールは外部情報処理装置から送られてきたデータを加工しＴＦＴ基板に形成された信号線に送出することによりディスプレーが実施されるようにする。
【００１５】
従って、前述した説明によると、液晶表示パネルアセンブリ６は各々薄膜トランジスターを通じて出力される電力を個別的に制御するに適合した構成を有する。また、この液晶表示パネルアセンブリ６は各薄膜トランジスターに連結された画素電極に印加される電力の強さを個別に調節するのに適合した構成を有する。結果的に、液晶表示パネルアセンブリ６は、画素電極と共通電極との間の電界差調節により、液晶の配列を微小面積単位で、非常に精密に制御するに適合した構成を有する。
【００１６】
しかし、液晶の配列を微小面積単位で精密に制御しても、光がなければどのような情報もディスプレーされないので、ディスプレーを実施するためには図１に示すように光を発生する光源を必要とする。
【００１７】
このとき、液晶表示パネルアセンブリ６に供給される光源は太陽光と類似する所定面積内で輝度差が殆どない光源が理想的であるが、太陽光と類似する輝度分布を有する光源を製作することは困難であるので、仕方なく製作が容易であり輝度が高い線光源又は点光源が使用される。
【００１８】
しかし、線光源又は点光源は製作が容易で局部的な輝度が高い長所を有するが、光源からの距離による輝度分布が非常に不均一であって線光源又は点光源から発生した光をそのまま液晶表示パネルアセンブリに供給する場合、激しい輝度不均一が発生するために、液晶を精密に制御しても所望の映像を得ることができない。
【００１９】
このような理由で、線光源又は点光源から発生した光から太陽光に似ている面光源効果を得るために、図１に示すように液晶表示装置１０には“導光板４”が使用される。
【００２０】
この導光板４は液晶表示装置１０の有効ディスプレー面積と相似である形状または対等な形状を有する、薄い直方体プレート形状を有する。
【００２１】
このような導光板４は、有効ディスプレー面積に比べて顕著に小さい面積に集中された輝度分布を有する光の供給を受け、有効ディスプレー面積と同一の均一な輝度分布を有するように変更した後、前述した液晶表示パネルアセンブリ６に供給されるようにする役割を有する。
【００２２】
一方、導光板４からの光損失を最小化し、光利用効率を最大化させるために導光板４の上面には、図２に示すように断面が“Ｖ”字形状を有するグルーブ形状である光反射パターン３が連続的に複数個形成される。
【００２３】
しかし、光利用効率を最大化させるために導光板４の上面に形成された光反射パターン３は、前述した液晶表示パネルアセンブリ６にマトリックス形態に配列された画素電極の配置関係によって“モアレ現象”と称する光干渉現象を発生させる。
【００２４】
具体的に、図３に示すように光反射パターン３の形成方向と液晶表示パネルアセンブリ６の画素電極６ａの配列方向とが一致する場合、２個のパターンが重なることが原因になってモアレ現象が発生する。
【００２５】
最近、開発された技術によると、図４に示したように光反射パターン３が伸びた方向と画素電極６ａの配置方向とが相互に２２．５°の角度で交差することにより、モアレ現象を最小化することができる。
【００２６】
しかし、図４のように光反射パターン３と画素電極６ａの配置方向とを相互に２２．５°の角度で交差するようにする場合、モアレ現象は最小化されるが、図５に示したように有効ディスプレー領域が明るい領域（ｂｒｉｇｈｔｎｅｓｓａｒｅａ；III）、暗い領域（ｄａｒｋ  ａｒｅａ；I）及び境界領域（ｂｏｕｎｄａｒｙ  ａｒｅａ；II）の三領域に分けられる輝度不均一現象が発生する。
【００２７】
具体的に、図１乃至図５に示すように、このように有効ディスプレー領域が三つの領域に分けられる理由としては、線光源形態を有するランプ２から発生した光が光反射パターン３に反射される角度により光の進行方向が異なるためである。
【００２８】
即ち、ランプ２から発生した光のうち、図５のIII領域に到達した光は光反射パターン３により反射された後、液晶表示パネルアセンブリ６の画素電極６ａに向かう方向へ反射され、III領域では高い輝度にディスプレーされる。
【００２９】
一方、ランプ２から発生した光のうち、図５のI領域に到達した光は液晶表示パネルアセンブリ６側に反射されず、図面符号４で図示された導光板４の側面に向かう方向へ反射され外部に漏洩される。従って、I領域では液晶表示パネルアセンブリ６の画素電極６ａ側に反射される光量が足りず、III領域に比べて顕著に暗くディスプレーされる。
【００３０】
一方、II領域はI領域より明るく、III領域よりは暗い境界領域に所定厚さを有する帯形状に形成される。このとき、II領域内でも明るいか暗いかの程度差はあるが、I領域からIII領域に行くほど明るくなる。
【００３１】
このように、有効ディスプレー領域上で三領域が形成される場合に発生する最大の問題点は、各領域での輝度差が顕著となり、モアレ現象は抑制されるが、輝度不均一問題が大きくなるという点である。
【００３２】
その結果、導光板４に形成された光反射パターン３と画素電極６ａの配列方向を一致させる場合は、明るい領域と暗い領域に有効ディスプレー領域が区分けされないが、モアレ現象が発生し、導光板４に形成された光反射パターン３と画素電極６ａの配列方向とを相互に交差するように傾斜させる場合は、モアレ現象は最小になるが、有効ディスプレー領域の輝度不均一が激しくなる。
【発明の開示】
【発明が解決しようとする課題】
【００３３】
本発明の目的は、有効ディスプレー領域全体にわたってディスプレー輝度差が最小になるようにすると同時に、モアレ現象を防止する液晶表示装置を提供することにある。
【課題を解決するための手段】
【００３４】
本発明の目的を達成するための液晶表示装置は、複数の側面、前記複数の側面に取り囲まれた第１面及び前記第１面と対向する第２面を含む立体からなる導光胴体と、前記複数の側面のうちの一つである光入射面に入射された光の方向が前記第１面に反射され第２面に向かうと同時に、前記複数の側面により取り囲まれた内部に向かう方向へ前記光の進行方向が転換されるようにライン形態で前記第１面に少なくとも一ヶ所以上が折り曲げられた折り曲げ部が形成された光反射パターンとを含む導光板、前記折り曲げ部の凹部部分と対向する前記光入射面に形成され、前記光入射面を通じて前記導光板の前記第１面に光を供給するランプを含むランプアセンブリ、及び前記第２面と対向し、前記光の透過度を制御し画像をディスプレーする液晶表示パネルを含む。
【００３５】
本発明によると、液晶表示装置が光量が足りなく、光がない所でも均一な輝度で情報をディスプレーできるとともに、モアレ現象も防止した高品質ディスプレーを実施することができる。
【発明の効果】
【００３６】
上述した本発明によると、液晶表示装置が光量が足りなく、また光がない所でも均一な輝度で情報をディスプレーでき、また、均一な輝度で情報をディスプレーすると同時にモアレ現象も防止し、高品質ディスプレーを実施することができる。
【発明を実施するための最良の形態】
【００３７】
以下、図面を参照して本発明の望ましい実施形態をより詳細に説明する。
【００３８】
本発明では、暗い所でもディスプレーを実施でき、暗い所でディスプレーを実施するために必要とする導光板の光反射パターンと画素電極との関係により発生されるモアレ現象を抑制し、及びモアレ現象を抑制するための光反射パターンにより発生される輝度不均一を克服するために、導光板の形状を変更することにより、本発明の目的を達成する。
【００３９】
以下、本発明による導光板を説明した後、導光板、ランプ及び液晶表示パネルアセンブリを含む液晶表示装置を説明し、最後に液晶表示装置での画像表示方法を説明する。
【００４０】
図６は本発明の参考例による導光板及び導光板とランプとの関係を示している。
【００４１】
図６に示すように、導光板２００は、望ましい一参考例として、導光胴体２１０、光反射パターン２２０及び光再生部２３０により構成される。
【００４２】
具体的に導光胴体２１０は、一参考例において、矩形の平面を有する直方体プレート形状を有する。このとき、本発明で導光胴体２１０が矩形の平面を有する直方体プレート形状を有するのは、後述される液晶表示パネルアセンブリの有効ディスプレー領域の形状が矩形形状を有するためである。即ち、導光胴体２１０の形状は液晶表示パネルアセンブリの形状に応じて多様に変更され得る。
【００４３】
より具体的に、本発明の参考例による導光胴体２１０は全て４個の側面２１２、２１４、２１６、２１８と上面２１７（図７参照）及び下面２１５（図７参照）により構成される。
【００４４】
このように、４個の側面２１２、２１４、２１６、２１８、上面２１７及び下面２１５により構成された導光胴体２１０が線光源タイプの輝度分布を有する光を面光源タイプの輝度分布を有する光に変更するために、４個の側面２１２、２１４、２１６、２１８のうちのいずれか一つ以上の面を通じて光が入射される。
【００４５】
以下、このように外部から線光源タイプの輝度分布を有する光が入射される４個の側面２１２、２１４、２１６、２１８のうち一つ以上の側面を、特別に第１側面と称する。図６に示された参考例においては、図面符号２１２に示された側面が第１側面になる。以下、第１側面に図面符号２１２を付与する。
【００４６】
一方、前述した第１側面２１２のうちの一部には、前述したように導光胴体２１０の上面２１７と接する部分が必ず存在する。本発明では、このように第１側面２１２と導光胴体２１０の上面２１７とが接する角部分を第１境界線２１３と称する。
【００４７】
この第１境界線２１３は導光胴体２１０の上面２１７に形成される光反射パターンの形成方向を決定するための基準線になる。
【００４８】
このように、第１境界線２１３が定義された状態で導光胴体２１０の上面２１７には、光反射パターン２２０が形成される。このとき、光反射パターン２２０は導光胴体２１０の上面２１７にプロファイルが“Ｖ”字形状であるグルーブを連続的に形成する方式により製作される。
【００４９】
このとき、一参考例として、光反射パターン２２０は、光反射パターン２２０及び第１境界線２１３が相互に平行にならないように形成される。具体的に、光反射パターン２２０は第１境界線２１３を基準にし、０°より大きく２２．５°以下の角度で傾斜するように形成される。本発明では、望ましい一参考例として光反射パターン２２０と第１境界線２１３が相互に２２．５°傾斜されるように形成される。
【００５０】
このように、光反射パターン２２０を第１境界線２１３を基準にし、０°より大きく２２．５°以下の角度で傾斜するように形成するのは、詳細に後述される液晶表示パネルアセンブリの画素電極の配列方向と平行にならないようにし、“モアレ現象”が最小化されるようにするためである。
【００５１】
このとき、液晶表示パネルアセンブリの画素電極の配列方向は第１境界線２１３と平行になる。
【００５２】
一方、このようにモアレ現象が最小になるように第１境界線２１３に対し傾斜された光反射パターン２２０を導光胴体２１０の上面２１７に形成した状態で、導光胴体２１０の第１側面２１２を通じて入射角度が相異する光が光反射パターン２２０に供給される場合、一部の光は光反射パターン２２０において後述される液晶表示パネル側に反射され、残りの光は液晶表示パネル側に反射されず、導光胴体２１０の側面側に向かう。
【００５３】
従って、図６に示した導光胴体２１０には、明るい領域（IV）と暗い領域（Ｖ）及び図面符号２１１で示された境界線が形成される。
【００５４】
これは、光反射パターン２２０の光を反射する部分により、光の反射角度が異なるためである。具体的に、光反射パターン２２０に供給される光のうち、明るい領域（IV）に到達した一部の光は、光反射パターン２２０が形成された導光胴体２１０の上面を基準にし上下方向に反射されるが、暗い領域（Ｖ）に到達した残りの光は光反射パターン２２０により左右方向（側面に向かう方向）に反射される。
【００５５】
このとき、光反射パターン２２０により左右方向に反射された光が到達する導光胴体２１０の側面を第２側面と称する。図６では図面符号２１４で示される側面が第２側面になる。
【００５６】
結論的に、モアレ現象によるディスプレー品質低下を最小化するために、光反射パターン２２０の角度を画素電極の配列方向に対し平行にならないように調節した結果、モアレ現象は最小化されるが輝度不均一が発生する。
【００５７】
このような、輝度不均一までも最小化するために、本発明では第２側面２１４に漏洩される光を最小化する。
【００５８】
このとき、第２側面２１４からの光漏洩が最小化されるようにするために、本発明では第２側面２１４に光再生部２３０が形成される。
【００５９】
本発明では光再生部２３０の２つの参考例が呈示され、これを具体的に説明すると、次のとおりである。
【００６０】
第１参考例として、光再生部２３０は図７に示すように、第２側面２１４に付着され光を反射させる反射ミラーである。具体的に、光再生部２３０は第２側面２１４に、非常に薄いシート形状を有する反射ミラーを使用し、第２側面２１４から損失される光を液晶表示パネルアセンブリ側に再反射されるようにし、暗い領域（Ｖ）の輝度をさらに向上させることができる。
【００６１】
このとき、光再生部２３０は図８に示すように、第２側面２１４全体に形成され、及び第１側面２１２に対向する側面２１６のうちの暗い領域に含まれる所に部分的に形成されることができる。
【００６２】
その他に、光再生部２３０は、残りの側面２１８にも選択的に形成されることができる。
【００６３】
第２参考例として、図９に示すように、光再生部２３２は第２側面２１４に形成され光を反射させるように表面を磨いて加工処理された部分である。表面処理された第２側面２１４は到達した光が液晶表示パネルアセンブリ側に再反射されるようにしたものであり、上述した光再生部２３０と同様に、暗い領域（Ｖ）の輝度をさらに向上させることができる。
【００６４】
光再生部２３２は第１側面２１２及び第２側面２１４を含む側面２１２、２１４、２１６、２１８の一部又は全てに設けられ、より向上された輝度でディスプレーすることができるようにする。
【００６５】
このような本発明の参考例による導光板２００は、第一に液晶表示装置が暗い所でもディスプレーを実施することができ、第二に比較的広い有効ディスプレー領域全般にわたって均一な輝度を提供し、第三に均一な輝度を有するように光を供給する過程で発生するモアレ現象を抑制し、第四に、モアレ現象を抑制する過程で発生する輝度不均一まで克服し、高品質ディスプレーが可能であるようにする。
【００６６】
図１０及び図１１は、導光胴体２１０の第２側面２１４に光再生部２３０、２３２を形成した場合に、輝度がどのくらい改善されたかを示している。
【００６７】
輝度測定は導光胴体２１０の第２側面２１４に光再生部２３０、２３２を形成した場合と、導光胴体２１０の第２側面２１４に光再生部２３０、２３２を形成しない場合との、二つの場合に分けて実験された。そして、図１０に示した９箇所で輝度が測定されたが、輝度が測定される９個のポイントは全て互いに同じ距離を維持するように調節された状態にされた。このとき、導光胴体２１０に形成された光反射パターン２２０と第１境界線２１３とからなる角度及び光が入射される第１側面２１２は全て同一の条件である。
【００６８】
輝度測定の結果、図１１に示すように、多くの位置において、光再生部を形成した場合の輝度が光再生部を形成しない場合に比べてさらに高く示される。
【００６９】
一方、光再生部を形成しても測定ポイント１、測定ポイント４、測定ポイント７の位置での輝度が他の測定ポイントにおける輝度に比べて多少低く示される。
【００７０】
このように輝度を向上させる光再生部を採択し、従来に比べ向上されたディスプレー輝度を得るようにする導光板２００は、図１２に示すように、ランプアセンブリ３５０及び液晶表示パネルアセンブリ４００と結合され、液晶表示装置（Ｌｉｑｕｉｄ  Ｃｒｙｓｔａｌ  Ｄｉｓｐｌａｙ  ｄｅｖｉｃｅ）５００を構成する。
【００７１】
より具体的に、ランプアセンブリ３５０は、図１２に示すようにランプ３００とランプ３００から発生した光を一方向に射出させるランプリフレクタ３４０とにより構成される。
【００７２】
ランプ３００として、多様な種類、例えば、点光源であるＬＥＤ、線光源である冷陰極線管方式ランプ（ＣＣＦＬランプ）などが使用されることができる。本発明では、太陽光と類似した白色光を発生させ、光を発生させるときに熱発生量が少なくて液晶の物理的特性変化が最小になるようにし、寿命が長い冷陰極線管方式ランプが使用される。以下、冷陰極線管方式ランプに図面符号３００を付与する。
【００７３】
この冷陰極線管方式ランプ３００は図７に示したように、２個の第１電極３１０、第２電極３２０及びランプチューブ３３０により構成される。
【００７４】
このとき、第１電極３１０及び第２電極３２０は、蛍光物質が内壁に塗布されたランプチューブ３３０の両側端部に結合される。このとき、第１電極３１０、第２電極３２０により密封されたランプチューブ３３０の内部には水銀が封入される。
【００７５】
このような冷陰極線管方式ランプ３００の第１電極３１０、第２電極３２０にインバータを通じて昇圧された交流電圧が印加されることにより、第１電極３１０及び第２電極３２０のうちのいずれか一方の電極から電子が放出され、その電子は他方の電極に空間移動される。この過程で高速に移動する電子は水銀電子と衝突し紫外線が発生され、紫外線がランプチューブ３３０の内側に形成された蛍光物質を刺激し、可視光線が発生される。
【００７６】
このような冷陰極線管方式ランプ３００の全体長さを第１長さとするとき、冷陰極線管方式ランプ３００の全面積にわたって均一な輝度が発生されない。このような理由で、全ての冷陰極線管方式ランプ３００の特性を判断するためには、一定基準が必要であり、この基準には“有効発光領域”が使用される。
【００７７】
有効発光領域Ｌは、冷陰極線管方式ランプ３００から発生した光のうち、最高輝度の８０％以上の輝度を発生する領域として定義される。
【００７８】
図７のグラフを参照すると、輝度は冷陰極線管方式ランプ３００の両側の、第１電極３１０、第２電極３２０と隣接する部分で最も低く、冷陰極線管方式ランプ３００の中央部分に向かうとともに輝度が増し、最高輝度を発生させる。
【００７９】
このような理由で、有効発光領域Ｌは、冷陰極線管方式ランプ３００の第１電極３１０と第２電極３２０とから所定距離離隔された所に形成される。
【００８０】
即ち、冷陰極線管方式ランプ３００は有効発光領域Ｌと非有効発光領域Ｔとに分けられ、実際ディスプレー有効発光領域Ｌから発生された光のみが有効に使用される。
【００８１】
これは冷陰極線管方式ランプ３００と導光板２００との位置関係により非有効発光領域Ｔがディスプレーに悪影響を及ぼすことを意味する。
【００８２】
実際、従来の冷陰極線管方式ランプ３００の両端は有効発光領域の考慮なしに単純に図５に示したように導光板４の第１側面４ａの両端に一致されるように設けられていた。
【００８３】
しかし、この従来例のように、有効発光領域の考慮なしに冷陰極線管方式ランプ３００と導光板の第１側面４ａの両端が一致されるようにする場合、前述したように図５に示したような境界領域IIが発生してしまう。
【００８４】
このとき、境界領域IIの幅は冷陰極線管方式ランプ３００と有効発光領域の端部の距離差に比例して増加し、使用者の目で確認できる程度に至って、激しいディスプレー不良を発生させる。
【００８５】
この境界領域IIの除去量又は境界領域IIの幅の減少量は、冷陰極線管方式ランプ３００の有効発光領域の位置により決定される。
【００８６】
しかし、冷陰極線管方式ランプ３００の有効発光領域の長さを冷陰極線管方式ランプの全体長さと同一にすることにより、境界領域の幅を最小化することができるが、このような冷陰極線管方式ランプを製作することは殆ど不可能である。
【００８７】
これを克服するために、本発明では冷陰極線管方式ランプの位置を精密に調節することにより、境界領域が最小化されるようにする。
【００８８】
具体的に、図７に示すように、第１側面２１２は明るい領域（IV）に含まれた側面２１８と暗い領域（Ｖ）に含まれた第２側面２１４との両側面に隣接している。この第２側面２１４と第１側面２１２とが接する境界を第２境界線２１４ａと称する。図６、図７及び図１３に第２境界線２１４ａが示している。
【００８９】
このような導光胴体２１０の第２境界線２１４ａには、少なくとも冷陰極線管方式ランプ３００の有効発光領域Ｌの一端部が整合されるように形成され、または冷陰極線管方式ランプ３００の有効発光領域Ｌの一端部が第２境界線２１４ａから最大１０ｍｍ程度突出されるように形成される。このようにして、ディスプレー特性を顕著に低下させる境界領域を最小化又は除去することができる。
【００９０】
一方、このように冷陰極線管方式ランプ３００から発生した光は導光板２００で均一に変更された後、液晶表示パネルアセンブリ４００に供給され、これによりディスプレーが実施される。
【００９１】
従って、情報を精密にディスプレーするためには導光板２００、ランプアセンブリ３５０以外に、液晶表示パネルアセンブリ４００の技術開発が必要である。
【００９２】
図１２乃至図１４に示したように、液晶表示パネルアセンブリ４００は、液晶表示パネル４２５、駆動装置４６０により構成される。
【００９３】
具体的に、液晶表示パネル４２５は、カラーフィルタ基板４２０、液晶４１５及びＴＦＴ基板４１０により構成される。
【００９４】
より具体的に、ＴＦＴ基板４１０はガラス基板４０９に形成された薄膜トランジスター４０８、画素電極４０７及び信号線４０５、４０６により構成される。
【００９５】
このとき、複数の薄膜トランジスター４０８がガラス基板４０９上にマトリックス形態に形成され、各々の薄膜トランジスター４０８には図１５に示したようにゲート電極４０８ａ、ドレーン電極４０８ｃ及びソース電極４０８ｂが形成される。
【００９６】
一方、マトリックス形態に形成された薄膜トランジスター４０８のうち、各行（ｃｏｌｕｍｎ）に属する薄膜トランジスターのゲート電極４０９ａは、共通のゲートライン４０６に連結される。
【００９７】
また、マトリックス形態に形成された薄膜トランジスター４０８のうち、各列（ｌｏｗ）に属する薄膜トランジスターのソース電極４０９ｂは、もう一つの共通の信号線であるデータライン４０５に連結される。
【００９８】
また、全ての薄膜トランジスター４０８の上面には、絶縁膜が形成され、絶縁膜の上面にドレーン電極４０８ｃが露出されるようにコンタクトホールが形成され、コンタクトホールと連結されるように絶縁膜の上面に画素電極４０７が形成される。このとき、画素電極４０７は反射率が高い金属により製作される。
【００９９】
このとき、マトリックス形態を有するように形成された画素電極４０７は、図１４に示したように、行方向が導光胴体２１０の第１境界線２１３と平行になるように配置される。
【０１００】
従って、画素電極４０７の配置方向と、導光胴体２１０の上面に形成された光反射パターン２２０とは、０°より大きく２２．５°以下の角度で相互に交差するように形成される。
【０１０１】
一方、カラーフィルタ基板４２０はガラス基板４１９に画素電極４０７と対向する位置に形成されたＲＧＢ色画素４１８及び共通電極（図示せず）により構成される。
【０１０２】
このような構成を有するカラーフィルタ基板４２０のＲＧＢ色画素４１８とＴＦＴ基板４１０の画素電極４０７が相互に整合されるように重なった状態で、カラーフィルタ基板４２０とＴＦＴ基板４１０との間には液晶４１５が注入される。
【０１０３】
このような構成を有する液晶表示パネル４２５には、図１２又は図１３に示したように、薄膜トランジスターを指定された時期にターンオンし、及び所定の電圧が画素電極に印加されるようにする駆動装置４６０が設けられる。この駆動装置４６０は印刷回路基板４５０、テープキャリアパッケージ４４０などにより構成される。
【０１０４】
以下、本発明の参考例による液晶表示装置での画像表示方法を添付された図面を参照し説明すると、次のとおりである。
【０１０５】
まず、図１２に示すように、第１長さを有する冷陰極線管方式ランプ３００で放射状に形成された線光源タイプの輝度分布を有する光は、ランプリフレクタ３１０により一側方向へ集光された後、ランプリフレクタ３１０の外部に射出される。以下、ランプリフレクタ３１０から射出された光を第１光３１１と称する。
【０１０６】
以後、射出された線光源タイプの輝度分布を有する第１光３１１に対して、面光源タイプの輝度分布を有するように輝度分布を変更する過程が実施される。このとき、輝度分布が変更されることに起因してモアレ現象が発生しないようにランプリフレクタ３１０から射出された第１光３１１の進行角度が変更され、液晶表示パネルアセンブリ４００に供給される。
【０１０７】
このとき、第１光３１１の進行方向は、ランプリフレクタ３１０から射出される際には液晶表示パネルアセンブリ４００と平行な方向であったが、輝度分布が変更される過程で液晶表示パネルアセンブリ４００に向かう方向になる。
【０１０８】
また、第１光３１１は、反射されて液晶表示パネルアセンブリ４００に向かい、同時に液晶表示パネルアセンブリ４００に形成された画素電極４０７の配列方向と平行でない方向に向かう。以下、このように第１光３１１が光反射パターン２２０に反射されることにより液晶表示パネルアセンブリ４００に向かうようにされた光を第２光３１３と称する。
【０１０９】
一方、この過程の間に、第１光３１１の一部は第２光３１３の経路と異なる経路、即ち、液晶表示パネルアセンブリ４００に向かわない経路を進む。即ち、外部に漏洩され輝度を低下させる要因に作用するが、以下、このように損失される光を第３光３１５と称する。
【０１１０】
本発明では、このように輝度を低下させる要因として作用する第３光３１５を最小化するために、第３光３１５の進行経路上の一部に設置又は形成された光再生部２３０を利用し、第３光３１５の進行経路が第２光３１３の進行経路すなわち液晶表示パネルアセンブリ４００に向かう方向への進行経路を有するように変更する。
【０１１１】
以後、第２光３１３及び第３光３１５は液晶表示パネルアセンブリ４００の画素電極４０７に到達し反射された後、配列された液晶４１５を通過して光透過度が調節される。以下、光透過度が調節された第２光３１３及び第３光３１５は色画素（ＲＧＢ画素）を通過し波長が調節される。以下、光透過度及び波長が調節された光を第４光３１７と称する。この第４光３１７は使用者の目に入射され、従って、使用者は第４光に含まれた情報を認識することができる。
【０１１２】
一方、図１６に示すように、導光板２００を射出方式により製作する過程では、必ず“パーティングライン（ｐａｒｔｉｎｇ  ｌｉｎｅ）２９０”が形成されるが、このパーティングライン２９０が第２側面２１４に形成される場合、暗い領域の輝度不均一がさらに激しくなるので、パーティングライン２９０を第２側面２１４及び第１側面２１２を除外した残りの側面２１６、２１８に形成することができる。
【０１１３】
一方、図１７及び図１８には、本発明の一実施形態による液晶表示装置が図示されている。図面に示したように、液晶表示装置１４０は、ランプアセンブリ１１５、導光板１２０及び液晶表示パネル１３０により構成される。
【０１１４】
このとき、ランプアセンブリ１１５及び液晶表示パネル１３０は前述した参考例と同一であるので、これの説明は省略し、添付された図１７又は図１８を参照し導光板１２０をより具体的に説明する。このとき、図１７の図面符号１１６はランプカバーであり、図面符号１１２はランプである。
【０１１５】
本発明の一実施形態による導光板１２０は立体形状を有する。このとき、立体形状を有する導光板１２０の形状は、一実施形態として図１７又は図１８に図示されたような直方体形状を有する。
【０１１６】
すなわち導光板１２０は、４個の側面、４個の側面に取り囲まれた２個の面により構成される。
【０１１７】
図１８に示すように、４個の側面に図面符号１１８ａ、１１８ｂ、１１８ｃ、１１８ｄを付与し、図１７に示すように、４個の側面１１８ａ、１１８ｂ、１１８ｃ、１１８ｄに囲まれた２個の面のうちのいずれか一つに図面符号１１８ｅを付与し、残り一つの面に１１８ｆを付与する。
【０１１８】
このとき、液晶表示パネル１３０と接する図面符号１１８ｆが付与された面を以下第２面と称し、面１１８ｆと対向する面１１８ｅを以下第１面と称する。
【０１１９】
このとき、第１面１１８ｅには複数個の光反射パターン１２０ｃが形成される。このとき、複数個の光反射パターン１２０ｃは連続し、相互一定間隔を維持するように形成される。
【０１２０】
このような構成を有する本発明の一実施形態による光反射パターン１２０ｃは二つの機能を同時に実施する。光反射パターン１２０ｃの第１の機能は、導光板１２０の側面１１８ｄから入射された光を第２面１１８ｆに反射させることである。光反射パターン１２０ｃの第２の機能は第１面１１８ｅから反射された光の方向が導光板１２０の中央に向かう方向を有するようにし、光が導光板１２０から漏洩されることを防止することである。
【０１２１】
このように、第１面１１８ｅから第２面１１８ｆに光を反射させると同時に導光板１２０から光が漏洩されることを防止するために、第１面１１８ｅに形成された光反射パターン１２０ｃは任意の位置で少なくとも１回以上折り曲げられた形状を有する。
【０１２２】
一実施形態として本発明では、光反射パターン１２０ｃが図１８に示すように一度折り曲げられる。このとき、光反射パターン１２０ｃの折り曲げられた位置は、例えば仮想線であるＣに形成される。
【０１２３】
以下、光反射パターン１２０ｃのうち、折り曲げられた位置を基準にし、いずれか一側の光反射パターン１２０ｃを第１光反射パターン１２０ａと称し、残りの光反射パターン１２０ｃを第２光反射パターン１２０ｂと称する。
【０１２４】
このとき、第１光反射パターン１２０ａ及び第２光反射パターン１２０ｂとの間の角θは鈍角である。このように、光反射パターン１２０ｃを折り曲げることにより、導光板１２０から頻繁に発生する暗い領域が最小化されることができる。
【０１２５】
一方、望ましくは、ランプ１１２から光が供給される側面１１８ｄと第１面１１８ｅとが接する境界線と、第１光反射パターン１２０ａまたは第２光反射パターン１２０ｂとからなる角度が２２．５°になるようにして、モアレ現象も発生しないようにすることができる。
【０１２６】
また、本発明では望ましい一実施形態として折り曲げられた部分が一つである光反射パターン１２０ｃが説明されたが、折り曲げられた部分が少なくとも１個以上になるようにしてもよい。
【０１２７】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【図面の簡単な説明】
【０１２８】
【図１】従来の液晶表示装置の概念図である。
【図２】図１のＡ部分拡大図である。
【図３】従来液晶表示装置の導光板の光反射パターンと液晶表示パネルの画素電極の方向とを比較するための平面図である。
【図４】図３の構造により発生したモアレ現象を防止するための導光板の光反射パターンと液晶表示パネルの画素電極の方向を図示した平面図である。
【図５】従来液晶表示装置の有効ディスプレー領域が導光板により輝度差が大きな３個の領域に分けられたことを図示した平面図である。
【図６】本発明の参考例による導光板の構成を説明するための斜視図である。
【図７】本発明の参考例による導光板の断面、ランプと導光板との関係及びランプの有効ディスプレー領域を図示した概念図である。
【図８】本発明の参考例による導光板の変形例を図示した平面図である。
【図９】本発明の参考例による導光板のまた他の変形例を図示した平面図である。
【図１０】本発明の参考例による導光板の輝度分布を測定するための測定ポイントを図示した断面図である。
【図１１】図１０の実験結果グラフである。
【図１２】本発明の参考例による導光板を含む液晶表示装置の概念図である。
【図１３】図１２を立体的に図示した本発明の一参考例による液晶表示装置の斜視図である。
【図１４】本発明の参考例による液晶表示装置のうちの液晶表示パネルの分解斜視図である。
【図１５】図１４のうちの薄膜トランジスターの部分を拡大した斜視図である。
【図１６】本発明の参考例による液晶表示パネルの画素電極と導光板との光反射パターンの関係及びパーティングラインを説明するための平面図である。
【図１７】本発明の一実施形態による液晶表示装置の分解斜視図である。
【図１８】図１７の導光板と画素電極との関係を図示した概念図である。
【符号の説明】
【０１２９】
３、２２０    光反射パターン、
４、２００    導光板、
６    液晶表示パネルアセンブリ、
１０    液晶表示装置、
２１０    導光胴体、
２１２、２１４、２１６、２１８  側面、
２１３    第１境界線、
２１５    下面、
２１７    上面、
２３０    光再生部、
３００    冷陰極線管方式ランプ、
３４０    ランプリフレクタ、
３１０    第１電極、
３２０    第２電極、
３１１    第１光、
３１３    第２光、
３１５    第３光、
３１７    第４光、
３２０    第１電極、
３３０    ランプチューブ、
３５０    ランプアセンブリ、
４００    液晶表示パネルアセンブリ、
４２５    液晶表示パネル。
【図１】
2007087964.tif 000003
【図２】
2007087964.tif 000004
【図３】
2007087964.tif 000005
【図４】
2007087964.tif 000006
【図５】
2007087964.tif 000007
【図６】
2007087964.tif 000008
【図７】
2007087964.tif 000009
【図８】
2007087964.tif 000010
【図９】
2007087964.tif 000011
【図１０】
2007087964.tif 000012
【図１１】
2007087964.tif 000013
【図１２】
2007087964.tif 000014
【図１３】
2007087964.tif 000015
【図１４】
2007087964.tif 000016
【図１５】
2007087964.tif 000017
【図１６】
2007087964.tif 000018
【図１７】
2007087964.tif 000019
【図１８】
2007087964.tif 000020